【手続補正書】
【提出日】平成31年4月19日(2019.4.19)
【手続補正１】
【補正対象書類名】特許請求の範囲
【補正対象項目名】請求項１
【補正方法】変更
【補正の内容】
【請求項１】
コネクタと、前記コネクタと嵌合可能な相手側コネクタとを備えるコネクタ装置であって、
前記コネクタは、ハウジングと、電源端子と、検知端子とを備えており、
前記ハウジングには、軸部が形成されており、
前記電源端子及び前記検知端子は、前記ハウジングに保持されており、
前記相手側コネクタは、相手側ハウジングと、相手側電源端子と、相手側検知端子とを備えており、
前記相手側ハウジングには、相手側軸部が形成されており、
前記軸部及び前記相手側軸部の一方は回転軸であり、他方は軸受であり、
前記軸部と前記相手側軸部とを組み合わせると、前記コネクタは前記相手側コネクタに対して開位置と閉位置との間で前記回転軸の周りに回転可能であり、
前記相手側電源端子及び前記相手側検知端子は、前記相手側ハウジングに保持されており、
前記コネクタが前記開位置と前記閉位置との間にあるとき、前記コネクタは前記回転軸の軸方向と直交する上下方向において前記相手側コネクタの上側に位置しており、
前記コネクタが前記開位置にあるとき、前記電源端子は前記相手側電源端子に接続されていないと共に、前記検知端子は前記相手側検知端子に接続されておらず、
前記コネクタが前記開位置と前記閉位置との間に位置する所定位置にあるとき、前記電源端子は前記相手側電源端子に接続されている一方、前記検知端子は前記相手側検知端子に接続されておらず、
前記コネクタが前記閉位置にあるとき、前記電源端子及び前記検知端子は前記相手側電源端子及び前記相手側検知端子に夫々接続されており、
前記ハウジングには、第１被規制部及び第２被規制部が設けられており、
前記相手側ハウジングには、第１規制部及び第２規制部が設けられており、
前記ハウジング又は前記相手側ハウジングに第１解除部が設けられており、
前記ハウジング又は前記相手側ハウジングに第２解除部が設けられており、
前記コネクタを前記閉位置から前記所定位置に向けて回転させようとすると、前記第１被規制部が前記第１規制部に突き当り、前記コネクタが前記所定位置に達しないように規制され、
前記第１解除部を操作すると、前記第１規制部による前記第１被規制部の規制が解除され、
前記規制の解除後に前記コネクタを前記所定位置に向けて回転させると、前記第２被規制部が前記第２規制部に突き当り、前記コネクタが前記所定位置を越えて前記開位置へ向かって回転することが規制され、
前記第２解除部を操作すると、前記第２規制部による前記第２被規制部の規制が解除される
コネクタ装置。
【手続補正２】
【補正対象書類名】特許請求の範囲
【補正対象項目名】請求項１４
【補正方法】変更
【補正の内容】
【請求項１４】
コネクタと、前記コネクタと嵌合可能な相手側コネクタとを備えるコネクタ装置であって、
前記コネクタは、ハウジングと、電源端子と、検知端子とを備えており、
前記ハウジングには、軸部が形成されており、
前記電源端子及び前記検知端子は、前記ハウジングに保持されており、
前記相手側コネクタは、相手側ハウジングと、相手側電源端子と、相手側検知端子とを備えており、
前記相手側ハウジングには、相手側軸部が形成されており、
前記軸部及び前記相手側軸部の一方は回転軸であり、他方は軸受であり、
前記軸部と前記相手側軸部とを組み合わせると、前記コネクタは前記相手側コネクタに対して開位置と閉位置との間で前記回転軸の周りに回転可能であり、
前記相手側電源端子及び前記相手側検知端子は、前記相手側ハウジングに保持されており、
前記コネクタが前記開位置と前記閉位置との間にあるとき、前記コネクタは前記回転軸の軸方向と直交する上下方向において前記相手側コネクタの上側に位置しており、
前記コネクタが前記開位置にあるとき、前記電源端子は前記相手側電源端子に接続されていないと共に、前記検知端子は前記相手側検知端子に接続されておらず、
前記コネクタが前記開位置と前記閉位置との間に位置する規制位置にあるとき、前記電源端子は前記相手側電源端子に接続されている一方、前記検知端子は前記相手側検知端子に接続されておらず、
前記コネクタが前記閉位置にあるとき、前記電源端子及び前記検知端子は前記相手側電源端子及び前記相手側検知端子に夫々接続されており、
前記ハウジングには、基部と、弾性変形可能な片持ち梁部と、嵌合被規制部と、操作部が設けられており、
前記片持ち梁部は、前記基部から第１所定方位に向かって延びており、且つ、前記第１所定方位と直交する第２所定方位に厚みを有しており、
前記嵌合被規制部及び前記操作部は、前記片持ち梁部に支持されており、
前記嵌合被規制部は、前記第２所定方位において前記片持ち梁部の前記厚み内に位置する部位を有し、且つ、前記片持ち梁部を弾性変形させたときに少なくとも前記第２所定方位に移動し、
前記相手側ハウジングには、嵌合規制部が設けられており、
前記コネクタを前記開位置から前記規制位置まで回転させると、前記嵌合被規制部の前記片持ち梁部の前記厚み内に位置する前記部位が前記嵌合規制部に突き当り、前記コネクタが前記規制位置を越えて前記閉位置に向けて移動することが規制され、
前記操作部を操作して前記片持ち梁部を弾性変形させると、前記嵌合規制部による前記嵌合被規制部の規制が解除される
コネクタ装置。
【手続補正３】
【補正対象書類名】明細書
【補正対象項目名】０００９
【補正方法】変更
【補正の内容】
【０００９】
本発明は、第１のコネクタ装置として、コネクタと、前記コネクタと嵌合可能な相手側コネクタとを備えるコネクタ装置であって、
前記コネクタは、ハウジングと、電源端子と、検知端子とを備えており、
前記ハウジングには、軸部が形成されており、
前記電源端子及び前記検知端子は、前記ハウジングに保持されており、
前記相手側コネクタは、相手側ハウジングと、相手側電源端子と、相手側検知端子とを備えており、
前記相手側ハウジングには、相手側軸部が形成されており、
前記軸部及び前記相手側軸部の一方は回転軸であり、他方は軸受であり、
前記軸部と前記相手側軸部とを組み合わせると、前記コネクタは前記相手側コネクタに対して開位置と閉位置との間で前記回転軸の周りに回転可能であり、
前記相手側電源端子及び前記相手側検知端子は、前記相手側ハウジングに保持されており、
前記コネクタが前記開位置と前記閉位置との間にあるとき、前記コネクタは前記回転軸の軸方向と直交する上下方向において前記相手側コネクタの上側に位置しており、
前記コネクタが前記開位置にあるとき、前記電源端子は前記相手側電源端子に接続されていないと共に、前記検知端子は前記相手側検知端子に接続されておらず、
前記コネクタが前記開位置と前記閉位置との間に位置する所定位置にあるとき、前記電源端子は前記相手側電源端子に接続されている一方、前記検知端子は前記相手側検知端子に接続されておらず、
前記コネクタが前記閉位置にあるとき、前記電源端子及び前記検知端子は前記相手側電源端子及び前記相手側検知端子に夫々接続されており、
前記ハウジングには、第１被規制部及び第２被規制部が設けられており、
前記相手側ハウジングには、第１規制部及び第２規制部が設けられており、
前記ハウジング又は前記相手側ハウジングに第１解除部が設けられており、
前記ハウジング又は前記相手側ハウジングに第２解除部が設けられており、
前記コネクタを前記閉位置から前記所定位置に向けて回転させようとすると、前記第１被規制部が前記第１規制部に突き当り、前記コネクタが前記所定位置に達しないように規制され、
前記第１解除部を操作すると、前記第１規制部による前記第１被規制部の規制が解除され、
前記規制の解除後に前記コネクタを前記所定位置に向けて回転させると、前記第２被規制部が前記第２規制部に突き当り、前記コネクタが前記所定位置を越えて前記開位置へ向かって回転することが規制され、
前記第２解除部を操作すると、前記第２規制部による前記第２被規制部の規制が解除される
コネクタ装置を提供する。
【手続補正４】
【補正対象書類名】明細書
【補正対象項目名】００２２
【補正方法】変更
【補正の内容】
【００２２】
本発明は、第１４のコネクタ装置として、コネクタと、前記コネクタと嵌合可能な相手側コネクタとを備えるコネクタ装置であって、
前記コネクタは、ハウジングと、電源端子と、検知端子とを備えており、
前記ハウジングには、軸部が形成されており、
前記電源端子及び前記検知端子は、前記ハウジングに保持されており、
前記相手側コネクタは、相手側ハウジングと、相手側電源端子と、相手側検知端子とを備えており、
前記相手側ハウジングには、相手側軸部が形成されており、
前記軸部及び前記相手側軸部の一方は回転軸であり、他方は軸受であり、
前記軸部と前記相手側軸部とを組み合わせると、前記コネクタは前記相手側コネクタに対して開位置と閉位置との間で前記回転軸の周りに回転可能であり、
前記相手側電源端子及び前記相手側検知端子は、前記相手側ハウジングに保持されており、
前記コネクタが前記開位置と前記閉位置との間にあるとき、前記コネクタは前記回転軸の軸方向と直交する上下方向において前記相手側コネクタの上側に位置しており、
前記コネクタが前記開位置にあるとき、前記電源端子は前記相手側電源端子に接続されていないと共に、前記検知端子は前記相手側検知端子に接続されておらず、
前記コネクタが前記開位置と前記閉位置との間に位置する規制位置にあるとき、前記電源端子は前記相手側電源端子に接続されている一方、前記検知端子は前記相手側検知端子に接続されておらず、
前記コネクタが前記閉位置にあるとき、前記電源端子及び前記検知端子は前記相手側電源端子及び前記相手側検知端子に夫々接続されており、
前記ハウジングには、基部と、弾性変形可能な片持ち梁部と、嵌合被規制部と、操作部が設けられており、
前記片持ち梁部は、前記基部から第１所定方位に向かって延びており、且つ、前記第１所定方位と直交する第２所定方位に厚みを有しており、
前記嵌合被規制部及び前記操作部は、前記片持ち梁部に支持されており、
前記嵌合被規制部は、前記第２所定方位において前記片持ち梁部の前記厚み内に位置する部位を有し、且つ、前記片持ち梁部を弾性変形させたときに少なくとも前記第２所定方位に移動し、
前記相手側ハウジングには、嵌合規制部が設けられており、
前記コネクタを前記開位置から前記規制位置まで回転させると、前記嵌合被規制部の前記片持ち梁部の前記厚み内に位置する前記部位が前記嵌合規制部に突き当り、前記コネクタが前記規制位置を越えて前記閉位置に向けて移動することが規制され、
前記操作部を操作して前記片持ち梁部を弾性変形させると、前記嵌合規制部による前記嵌合被規制部の規制が解除される
コネクタ装置を提供する。
【手続補正５】
【補正対象書類名】明細書
【補正対象項目名】００２５
【補正方法】変更
【補正の内容】
【００２５】
また、コネクタを開位置から閉位置に向けて回転させようとすると、嵌合被規制部が嵌合規制部に突き当り、コネクタが規制位置を越えて閉位置に向けて移動することが規制される。嵌合被規制部は、第２所定方位において、片持ち梁部の厚み内に位置している。そのため、閉位置に向かって回転させる力をコネクタに加えた場合でも、規制が解除されるように片持ち梁部が変形することはない。これにより、コネクタが規制位置を越えて閉位置に向けて移動することを確実に規制することができる。この規制は、操作部を操作して片持ち梁部を弾性変形させることにより解除できる。こうして、電源端子と相手側電源端子とが接続されてから検知端子と相手側検知端子とが接続されるまでの間に時間間隔を確実に設けることができる。
【手続補正６】
【補正対象書類名】明細書
【補正対象項目名】００５９
【補正方法】変更
【補正の内容】
【００５９】
図２０及び図２７から理解されるように、コネクタ１００が付加的所定位置から閉位置へ移動する間に、第１被規制部１３２は、第１規制部３３２を乗り越え、上下方向において第１規制部３３２の下側へ移動する。図２７に示されるように、コネクタ１００が閉位置に位置しているとき、第１被規制部１３２は、上下方向において第１規制部３３２の下側に位置する。また、図２７から理解されるように、第１被規制部１３２の少なくとも一部は、上下方向に沿って見たとき第１規制部３３２と重複する。これにより、コネクタ１００を閉位置から所定位置へ向かって回転させようとしても、第１被規制部１３２が第１規制部３３２に突き当り、コネクタ１００は所定位置へ達しないように規制される。ここで、所定位置は、図２９から図３６までの図に示される位置である。詳しくは、所定位置は、開位置と閉位置との間にあり、付加的所定位置と閉位置との間にある。なお、図２７において、第１規制部３３２と第１被規制部１３２との間には隙間が存在する。しかしながら、コネクタ１００が閉位置にあるとき、第１規制部３３２と第１被規制部１３２とが互いに接触するようにしてもよい。そうすれば、コネクタ１００は、閉位置を越えて所定位置に向かって回転することができない。その結果、コネクタ１００の相手側コネクタ３００に対するガタツキを抑えることができる。
【手続補正７】
【補正対象書類名】明細書
【補正対象項目名】００６３
【補正方法】変更
【補正の内容】
【００６３】
図２７から理解されるように、コネクタ１００を閉位置から開位置まで回転させるには、まず、第１解除部３４０を操作して、第１規制部３３２による第１被規制部１３２の規制を解除する。具体的には、コネクタ１００の回転の径方向において第１操作部３４４を内側に向けて移動させて第１バネ部３４２を弾性変形させる。すると、第１規制部３３２による第１被規制部１３２の規制が解除される。換言すると、第１操作部３４４を前方へ向けて移動させることで、第１バネ部３４２が弾性変形し、第１規制部３３２が少なくとも前方へ移動する。これにより、第１規制部３３２による第１被規制部１３２の規制が解除される。第１規制部３３２による第１被規制部１３２の規制を解除した状態において、コネクタ１００を閉位置から開位置に向かって回転させることができる。